(57)【要約】【課題】天板の後端部支持用の支持部材の支持レールへの取付、及び移動を容易として、テーブルの左右位置を簡単に変更しうるようにする。【解決手段】前端部を脚柱３１により床面に支持したテーブル２９の後端部を、床面より離間して設けた左右方向を向く支持レール１６の前面により支持するようにしたテーブル２９の支持構造であって、支持レール１６の前面に、後ろ上方に向かって延出する係止溝２１を、左右方向に沿って設け、この係止溝２１に、支持部材２５を、その後端に突設した、後ろ上方を向く係合爪２６を前上方より係合させて取付けるとともに、支持部材２５に設けたブラケット３２に、テーブル２９の天板３０の後端部を載置して固定する。【選択図】        図３
2004267521.tif 000002
【特許請求の範囲】
【請求項１】
前端部を脚柱により床面に支持したテーブルの後端部を、床面より離間して設けた左右方向を向く支持レールの前面により支持するようにしたテーブルの支持構造であって、前記支持レールの前面に、後ろ上方に向かって延出する係止溝を、左右方向に沿って設け、この係止溝に、支持部材を、その後端に突設した、後ろ上方を向く係合爪を前上方より係合させて取付けるとともに、前記支持部材に設けた前方を向く支持部に、前記テーブルの天板の後端部を載置して固定したことを特徴とするテーブルの支持構造。
【請求項２】
支持部材の左右長を、テーブルの天板の左右長とほぼ等寸としてなる請求項１記載のテーブルの支持構造。
【請求項３】
支持部材の前面に、側面視倒立Ｌ字状をなすブラケットの垂直片をねじ止めするとともに、前方を向く水平片に、天板の後端部を載置して固定してなる請求項１または２記載のテーブルの支持構造。
【発明の詳細な説明】
【０００１】
【発明の属する技術分野】
本発明は、テーブル（机を含む）の後端部を、床面より所要寸法離間させて設けた左右方向を向く支持レールにより支持するようにしたテーブルの支持構造に関する。
【０００２】
【従来の技術】
テーブル等の後端部を支持レールにより支持する従来の支持構造としては、左右方向を向く支持レール（フレーム）の前面に、奥部側の溝幅を大としたほぼＣ字状断面の係合凹溝を、長手方向に全長に亘って形成し、該係合凹溝内に頭部を嵌合して係止したボルトに、テーブル等の天板取付用の支持部材（ブラケット）の基端を挿通して、ナットにより固定するようにしたものがある（例えば特許文献１参照）。
【０００３】
【特許文献１】
特開平６−２７７１２５号公報（図１等）
【０００４】
【発明が解決しようとする課題】
上記特許文献１に記載されているテーブルの支持構造では、支持部材取付用のボルトの頭部を、支持レールの係合凹溝の所望の位置に係止する際、支持レールの側端より嵌合して所望の位置までスライドさせる必要があるため、作業性が悪い。
【０００５】
また、テーブルの左右方向の位置を変える際には、支持部材が左右方向に移動可能となるまで、その都度ナットを緩め、定位置で再度締付ける必要があるため、テーブルの位置変更が面倒である。
【０００６】
本発明は、上記問題点に鑑みてなされたもので、天板の後端部支持用の支持部材の支持レールへの取付け、及び移動を容易として、テーブルの左右方向の設置位置を簡単に変更しうるようにした、テーブルの支持構造を提供することを目的としている。
【０００７】
【課題を解決するための手段】
本発明によると、上記課題は、次のようにして解決される。
（１）  前端部を脚柱により床面に支持したテーブルの後端部を、床面より離間して設けた左右方向を向く支持レールの前面により支持するようにしたテーブルの支持構造であって、前記支持レールの前面に、後ろ上方に向かって延出する係止溝を、左右方向に沿って設け、この係止溝に、支持部材を、その後端に突設した、後ろ上方を向く係合爪を前上方より係合させて取付けるとともに、前記支持部材に設けた前方を向く支持部に、前記テーブルの天板の後端部を載置して固定する。
【０００８】
（２）  上記（１）項において、支持部材の左右長を、テーブルの天板の左右長とほぼ等寸とする。
【０００９】
（３）  上記（１）または（２）項において、支持部材の前面に、側面視倒立Ｌ字状をなすブラケットの垂直片をねじ止めするとともに、前方を向く水平片に、天板の後端部を載置して固定する。
【００１０】
【発明の実施の形態】
以下、本発明の一実施形態を、図面に基づいて説明する。
図１は、床面（Ｆ）と天井（Ｃ）間に立設された、本発明を適用してなる間仕切パネル装置の一部を示す正面図、図２は、同じく、前面のパネルを取外して示す下端部の拡大正面図、図３は、図１のＩＩＩ−ＩＩＩ線における拡大縦断側面図である。
【００１１】
間仕切パネル装置（１）における左右方向に並ぶ支柱（２）の下端には、接床可能なアジャスタ（３）が取付けられ、かつ各支柱（２）の下端部同士は、アジャスタ（３）を包覆しうる上向きコ字状断面の幅木（４）により連結されている。
【００１２】
また、各支柱（２）の上端同士は、天井（Ｃ）に圧接した笠木（５）により連結されている。
【００１３】
互いに隣接する支柱（２）間の前後の面には、スチール等よりなる上下複数のパネル（６）が、次のようにして取付けられている。
【００１４】
各パネル（６）は、図３に示すように、上下の端縁が内方に向かって側面視ほぼコ字状断面をなすように折曲されたパネル本体（７）と、その内面の上下の端部に固着された、側面視ほぼ内向Ｃ字状断面の補強片（８）（８）と、これら補強片（８）（８）間においてパネル本体（７）の内面中央に固着された、石膏ボード等よりなる芯材（９）とからなっている。
【００１５】
図２及び図３に示すように、互いに隣接する支柱（２）の下端部の対向面間には、最下部の前後のパネル（６）の下端部を支持する外向水平片（１０ａ）（１０ａ）を下端に有するベース受支部材（１０）と、その上面に載置され、前後のパネル（６）における下部の補強片（８）内において、その上片（８ａ）の下面を支持する外向水平片（１１ａ）（１１ａ）を有する下部受支部材（１１）とが、両支柱（２）の対向面にねじ（１３）止めしたＬ字状の取付金具（１２）の水平片（１２ａ）上に、ベース受支部材（１０）の両端部を受支し、両受支部材（１０）（１１）をねじ（１３）により共締めすることにより、一体的に横架されている。
【００１６】
上記両受支部材（１０）（１１）より上方に離間する個所において、左右の支柱（２）の対向面間には、最下部の前後のパネル（６）の上端部の取付部材、すなわち上部の補強片（８）における上片（８ａ）の内端の下向折曲片（８ｂ）を係止して支持する、側面視Ｕ字状の係止片（１４ａ）（１４ａ）を有する上部受支部材（１４）が、その両端部を、両支柱（２）の対向面にねじ（１３）止めした倒立Ｌ字状の取付金具（１５）の水平片（１５ａ）に載置してねじ（１３）により固定することにより、水平に横架されている。
【００１７】
前後のパネル（６）は、その上部の補強片（８）の下向折曲片（８ｂ）を、上部受支部材（１４）の係止片（１４ａ）に上方より嵌合させるとともに、下部の補強片（８）の上片（８ａ）の下面とパネル本体（７）の下端とを、それぞれ下部受支部材（１１）の外向水平片（１１ａ）と、ベース受支部材（１０）の外向水平片（１０ａ）とにより支持することにより、支柱（２）（２）間の前後面に取付けられている。
【００１８】
この際、下部受支部材（１１）の外向水平片（１１ａ）の上端部は、下部の補強片（８）における水平片（８ａ）の内端の下向折曲片（８ｂ）の内方に位置しているので、パネル（６）の下端部が支柱（２）より離れるのが防止される。
【００１９】
隣接する支柱（２）（２）間に横架された各上部受支部材（１４）の上面には、左右長を、左右の支柱（２）の中心間の寸法とほぼ等しい長さとなるように、アルミニウム合金等の引抜き加工により形成された支持レール（１６）が、図４にも示すように、両端部に形成した切欠凹部（１６ａ）を、各支柱（２）の左右幅の中央まで嵌合させて、互いの対向端を突合わせることにより、水平かつ直線状に連続するようにして、複数のねじ（１７）により固定されている。
【００２０】
支持レール（１６）は、水平をなす取付基板（１８）の前後の端縁に、外上向きに起立する１対の吊支部（１９）（１９）が左右対称的に連設された、側面視概ね上向きコ字状断面をなしている。
【００２１】
支持レール（１６）の前後寸法は、支柱（２）の前後寸法より大きく、かつ前後のパネル（６）の前後面間の離間寸法と同等、もしくはそれよりもやや小としてある。
【００２２】
両吊支部（１９）の外面には、図５に一方を拡大して示すように、開口部の垂下片（２０）の下面を半円状の凸曲面とするとともに、溝底面を、垂下片（２０）の半円状凸曲面の中心点（Ｏ）をほぼ同心とする凹状曲面とし、さらに、奥端上部をやや外向き円弧状に湾曲させてなる側面視ほぼ曲玉状断面の係止溝（２１）が、左右方向に全長に亘って形成されている。
【００２３】
また、両吊支部（１９）における平坦面をなす上下両面の中央部には、前後方向の幅が奥部に向かって漸次拡開するあり溝状の係合溝（２２）（２２）が、左右方向に全長に亘って形成されている。
【００２４】
支持レール（１６）のやや上方の左右に隣接する支柱（２）の対向面間には、下から２枚目の前後のパネル（６）の下端部を受支するための、上記下部受支部材（１１）と同形状の下部受支部材（１１）が、倒立Ｌ字状の取付金具（２３）とねじ（１３）により固定されている。
【００２５】
下部受支部材（１１）には、パネル（６）の下部内面に固着された補強片（８）が、上述と同じ要領で支持され、かつパネル本体（７）の下端は、上記支持レール（１６）の前後の吊支部（１９）の上面により受支されている。
【００２６】
前後のパネル（６）の下端は、支持レール（１６）の上面中央の凹部内に嵌合された下向きコ字状断面の保持部材（２４）により、内方に移動するのが規制されている。
【００２７】
図示は省略するが、２枚目のパネル（６）の上部の支柱（２）への取付けは、上述した上部受支部材（１４）と同じ受支部材を用いて行われ、かつこの受支部材の上面には、上記と同形状の支持レール（１６）が固定されている。
【００２８】
すなわち、図１に示すように、２枚目から上方の各前後のパネル（６）は、２枚目のパネル（６）の取付形態と同じ要領で取付けられ、かつ上下に隣接する各パネル（６）の対向端間には、支持レール（１６）が、左右方向に直線的に連続するように取付けられている。
【００２９】
次に、支持レール（１６）に対してのテーブルの取付要領について説明する。
最下段の支持レール（１６）における前面側の係止溝（２１）には、図３、図５及び図６に示すように、アルミニウム合金等の引抜き加工により形成された左右方向に所要長さの板状の支持部材（２５）が、その上端に突設された、係止溝（２１）とほぼ補形をなす係合爪（２６）を係合させることにより、垂下状に支持されている。
【００３０】
係止溝（２１）に係合爪（２６）を係合するには、図５の２点鎖線で示すように、支持部材（２５）全体を概ね水平とし、係合爪（２６）の先端部を係止溝（２１）の開口部内に挿入したのち、支持部材（２５）全体を下向きに回動させればよい。
【００３１】
これにより、係合爪（２６）は、垂下片（２０）を中心として回転しながら係止溝（２１）の奥部内に円滑に滑り込んで係合される。
【００３２】
支持部材（２５）の下半部には、前向きに若干突出するコ字状のブラケット取付部（２５ａ）が形成され、その後面中央には、補強リブ（２７）が、後向きに、かつ左右方向に全長に亘って突設されている。
【００３３】
ブラケット取付部（２５ａ）には、上下２個の取付孔（２８）（２８）が、補強リブ（２７）を挟む上下の空間内に連通するようにして、左右方向に所定間隔おきに穿設されている。
【００３４】
テーブル（２９）の左右長は、上記支持部材（２５）とほぼ等寸をなし、かつ天板（３０）の前端部下面の両側部は、下端を接床させた左右１対の脚柱（３１）により支持されている。脚柱（３１）の高さは、その下端に設けたアジャスタ（図示略）により調節しうるようになっている。
【００３５】
天板（３０）の後端部は、次のようにして、支持レール（１６）により間接的に支持されている。
【００３６】
図３に示すように、支持レール（１６）の係止溝（２１）により支持された支持部材（２５）のブラケット取付部（２５ａ）の前面に、それとほぼ等長をなす側面視倒立Ｌ字状断面のブラケット（３２）の垂直片を、取付孔（２８）に挿通したボルト（３３）とナット（３４）とにより固着したのち、ブラケット（３２）の前向水平片（３２ａ）の上面に天板（３０）の後端部を載置し、下方より複数のねじ（３５）により固定する。
【００３７】
これにより、テーブル（２９）の後端部は、間仕切パネル装置における支持レール（１６）により、強固に支持される。
【００３８】
テーブル（２９）の取付後において、その前端部を若干持ち上げると、係止溝（２１）と、それに係合している係止爪（２６）との間に隙間が生じるため、テーブル（２９）を、支持部材（２５）と共に左右方向に容易に移動させることができる。
【００３９】
また、この際、左右に隣接する支持レール（１６）の係止溝（２１）は、左右方向に連続しているため、テーブル（２９）を左右方向の任意の位置に簡単に移動させることができる。
【００４０】
なお、テーブル（２９）は、支持レール（１６）の後部側の係止溝（２１）を用いて、間仕切パネル装置の後面にも取付けうることは勿論である。
【００４１】
以上説明したように、上記実施形態のテーブルの支持構造においては、支持部材（２５）を、支持レール（１６）の前方より、その係止溝（２１）の所望の位置に取付けて、テーブル（２９）の後端部を支持しうるので、従来のように、支持レールの側端より支持部材を係合させてスライドする必要はなく、支持レール（１６）の左右長が長い場合の作業性が大幅に向上する。
【００４２】
また、テーブル（２９）の前端部を若干持ち上げれば、左右方向に移動可能となるので、テーブル（２９）の設置位置を容易に変更することができる。
さらに、天板（３０）の後端部は、それとほぼ等長をなす支持部材（２５）とブラケット（３２）により支持され、かつ支持部材（２５）の左右方向に長い係合爪（２６）全体が、係止溝（２１）と係合しているので、天板（３０）の後端部は強固に支持される。
【００４３】
本発明は、上記実施形態に限定されるものではない。
上記実施形態では、支持部材（２５）にブラケット（３２）を固定し、このブラケット（３２）に天板（３０）を固定しているが、例えば、図５の２点鎖線で示すように、支持部材（２５）の下端に、天板（３０）の後端部を支持して固定しうる前向支持片（３６）を一体的に形成し、ブラケット（３２）を省略することもある。
【００４４】
テーブル（２９）の左右長が大である際には、材料費を節約するために、左右長を短寸とした複数の支持部材（２５）とブラケット（３２）により、天板（３０）を支持するようにしてもよい。
【００４５】
ブラケット（３２）の垂直片におけるボルト（３３）の挿通孔を、上下方向を向く長孔として、天板（３０）の支持高さを調節しうるようにしてもよい。
【００４６】
本発明は、間仕切パネル装置に装着された支持レール（１６）にテーブル（２９）を支持させる以外に、例えば床面に立設した複数の支柱により、支持レール（１６）を水平に支持し、この支持レール（１６）の係止溝（２１）により天板（３０）の後端部を支持する際にも適用することができる。
【００４７】
【発明の効果】
請求項１記載の発明によれば、支持部材を、支持レールの前方より、その係止溝の所望の位置に取付けて、テーブルの天板の後端部を簡単に支持することができる。従って、従来のように、支持レールの側端より支持部材を係合させて、所望の位置までスライドする必要はなく、支持レールが長寸の場合の作業性が大幅に向上する。
また、テーブルの前端部を若干持ち上げるだけで、係止溝に沿って支持部材をスライドさせうるので、テーブルの左右方向の設置位置を容易に変更することができる。
【００４８】
請求項２記載の発明によれば、係止溝に対する係止爪の係合領域が増大するとともに、天板の支持面積が大となるので、テーブル後端部の支持強度が大となる。
【００４９】
請求項３記載の発明によれば、ブラケットの上下寸法を変えるのみで、高さの異なるテーブルを支持することができる。
【図面の簡単な説明】
【図１】本発明を適用した間仕切パネル装置の正面図である。
【図２】同じく、パネルを取外した状態の下部側の拡大正面図である。
【図３】同じく、図１のＩＩＩ−ＩＩＩ線拡大縦断側面図である。
【図４】同じく、図２のＩＶ−ＩＶ線拡大横断平面図である。
【図５】支持レールの前部と支持部材との拡大縦断側面図である。
【図６】支持部材の拡大斜視図である。
【符号の説明】
（１）間仕切パネル装置
（２）支柱
（３）アジャスタ
（４）幅木
（５）笠木
（６）パネル
（７）パネル本体
（８）補強片
（８ａ）上片
（８ｂ）下向折曲片
（９）芯材
（１０）ベース受支部材
（１０ａ）外向水平片
（１１）下部受支部材
（１１ａ）外向水平片
（１２）取付金具
（１２ａ）水平片
（１３）ねじ
（１４）上部受支部材
（１４ａ）係止片
（１５）取付金具
（１５ａ）水平片
（１６）支持レール
（１７）ねじ
（１８）取付基板
（１９）吊支部
（２０）垂下片
（２１）係止溝
（２２）係合溝
（２３）取付金具
（２４）保持部材
（２５）支持部材
（２５ａ）ブラケット取付部
（２６）係合爪
（２７）補強リブ
（２８）取付孔
（２９）テーブル
（３０）天板
（３１）脚柱
（３２）ブラケット
（３２ａ）前向水平片
（３３）ボルト
（３４）ナット
（３５）ねじ
（３６）前向支持片（支持部）
（Ｃ）天井
（Ｆ）床面
【図１】
2004267521.tif 000003
【図２】
2004267521.tif 000004
【図３】
2004267521.tif 000005
【図４】
2004267521.tif 000006
【図５】
2004267521.tif 000007
【図６】
2004267521.tif 000008